(57)【要約】【課題】小型化を図ることができる空気調和機の室内機を提供すること。【解決手段】室内機が、第１壁部（１１０）、第２壁部（１２０）、第３壁部（１３０）、および、第４壁部（１４０）を有するケーシング本体（１）とパネル（２）とを有するケーシングと、吊りボルトを接続可能な吊り金具（１０１，１０２，１０３，１０４）とを備える。第１壁部（１１０）が、第３壁部（１３０）に交差しかつ第２壁部（１２０）に接近する方向に延びて第３壁部（１３０）に接続され、外面に上記吊り金具（１０２）が設けられた第１傾斜壁部（１１１）と、第４壁部（１４０）に交差しかつ第２壁部（１２０）に接近する方向に延びて第４壁部（１４０）に接続され、外面に吊り金具（１０４）が設けられた第２傾斜壁部（１１２）とを有する。【選択図】図７
2018197641.tif 000002
【特許請求の範囲】
【請求項１】
互いに対向する第１壁部（１１０）および第２壁部（１２０）と、上記第１壁部（１１０）および上記第２壁部（１２０）の間にそれぞれ配置されかつ互いに対向する第３壁部（１３０）および第４壁部（１４０）とを有するケーシング本体（１）と、上記第１壁部（１１０）および上記第２壁部（１２０）の相互に対向する方向である第１方向と、上記第３壁部（１３０）および上記第４壁部（１４０）の相互に対向する方向である第２方向とにそれぞれ直交する第３方向における上記ケーシング本体（１）の一端に設けられたパネル（２）とを有するケーシングと、
上記第１壁部（１１０）の上記第２方向における両端部の外面と、上記第２壁部（１２０）の上記第２方向における両端部の外面とにそれぞれ設けられ、吊りボルトを接続可能な吊り金具（１０１，１０２，１０３，１０４）と
を備え、
上記第１壁部（１１０）が、
上記第２方向の両端部のうちの上記第３壁部（１３０）に近い方の端部に設けられていると共に、上記第３壁部（１３０）に交差しかつ上記第２壁部（１２０）に接近する方向に延びて上記第３壁部（１３０）に接続され、外面に上記吊り金具（１０２）が設けられた第１傾斜壁部（１１１）と、
上記第２方向の両端部のうちの上記第４壁部（１４０）に近い方の端部に設けられていると共に、上記第４壁部（１４０）に交差しかつ上記第２壁部（１２０）に接近する方向に延びて上記第４壁部（１４０）に接続され、外面に上記吊り金具（１０４）が設けられた第２傾斜壁部（１１２）と
を有する、空気調和機の室内機。
【請求項２】
請求項１の空気調和機の室内機において、
上記第２壁部（１２０）の上記第２方向における中央よりも第３壁部（１３０）側に、冷媒配管が接続される冷媒配管接続部（５，６）が設けられており、
上記第２壁部（１２０）の上記第２方向における両端部のうちの上記第３壁部（１３０）に近い方の冷媒配管側端部（１２１）の外面に設けられた上記吊り金具（１０３）が、上記第３方向において、他の上記吊り金具（１０１，１０２，１０４）よりも上記パネル（２）から離れた位置に設けられている、空気調和機の室内機。
【請求項３】
請求項２の空気調和機の室内機において、
上記第２壁部（１２０）の上記冷媒配管側端部（１２１）の外面に設けられた上記吊り金具（１０３）が、上記第３方向において、上記冷媒配管接続部（５，６）よりも上記パネル（２）から離れた位置に設けられている、空気調和機の室内機。
【発明の詳細な説明】
【技術分野】
【０００１】
本発明は、空気調和機の室内機に関する。
【背景技術】
【０００２】
特許文献１には、立方体形状の本体と、この本体の対向する一対の側面にそれぞれ２つずつ設けられた合計４つの吊り金具と、各吊り金具にそれぞれ係合される４つの吊りボルトとを備えた空気調和機が開示されている。
【先行技術文献】
【特許文献】
【０００３】
【特許文献１】特開平１０−１２２６４２号公報
【発明の概要】
【発明が解決しようとする課題】
【０００４】
しかし、上記空気調和機では、各吊り金具が、立方体形状の本体の側面から突出しているため、本体を小さくしても突出している各吊り金具の分だけ設置スペースが大きくなり、小型化を図ることが難しい場合がある。
【０００５】
そこで、本発明は、小型化を図ることができる空気調和機の室内機を提供することを課題とする。
【課題を解決するための手段】
【０００６】
本発明の一態様の空気調和機の室内機は、
互いに対向する第１壁部および第２壁部と、上記第１壁部および上記第２壁部の間にそれぞれ配置されかつ互いに対向する第３壁部および第４壁部とを有するケーシング本体と、上記第１壁部および上記第２壁部の相互に対向する方向である第１方向と、上記第３壁部および上記第４壁部の相互に対向する方向である第２方向にそれぞれ直交する第３方向における上記ケーシング本体の一端に設けられたパネルとを有するケーシングと、
上記第１壁部の上記第２方向における両端部の外面と、上記第２壁部の上記第２方向における両端部の外面とにそれぞれ設けられ、吊りボルトを接続可能な吊り金具と
を備え、
上記第１壁部が、
上記第２方向の両端部のうちの上記第３壁部に近い方の端部に設けられていると共に、上記第３壁部に交差しかつ上記第２壁部に接近する方向に延びて上記第３壁部に接続され、外面に上記吊り金具が設けられた第１傾斜壁部と、
上記第２方向の両端部のうちの上記第４壁部に近い方の端部に設けられていると共に、上記第４壁部に交差しかつ上記第２壁部に接近する方向に延びて上記第４壁部に接続され、外面に上記吊り金具が設けられた第２傾斜壁部と
を有する。
【０００７】
前記態様の空気調和機の室内機によれば、ケーシングのケーシング本体を構成する第１壁部が、第２方向の両端部のうちの第３壁部に近い方の端部に設けられていると共に、第３壁部に交差しかつ第２壁部に接近する方向に延びて第３壁部に接続された第１傾斜壁部と、第２方向の両端部のうちの第４壁部に近い方の端部に設けられていると共に、第４壁部に交差しかつ第２壁部に接近する方向に延びて第４壁部に接続された第２傾斜壁部とを有し、第１傾斜壁部および第２傾斜壁部の外面の各々に、吊り金具が設けられている。これにより、第３方向に沿った平面視において、第１傾斜壁部および第２傾斜壁部が設けられていない場合のケーシング本体の輪郭線の内側に吊り金具を配置できるので、ケーシングの小型化を図ることができる。その結果、小型化を図ることができる空気調和機の室内機を実現できる。
【０００８】
また、本発明の一態様の空気調和機の空気調和機は、
上記第２壁部の上記第２方向における中央よりも第３壁部側に、冷媒配管が接続される冷媒配管接続部が設けられており、
上記第２壁部の上記第２方向における両端部のうちの上記第３壁部に近い方の冷媒配管側端部の外面に設けられた上記吊り金具が、上記第３方向において、他の上記吊り金具よりも上記パネルから離れた位置に設けられている。
【０００９】
前記態様の空気調和機の空気調和機によれば、冷媒配管接続部に冷媒配管を接続するときに、吊り金具が邪魔になるのを回避できるので、据え付け性を向上させることができる。
【００１０】
また、本発明の一態様の空気調和機の空気調和機は、
上記第２壁部の上記冷媒配管側端部の外面に設けられた上記吊り金具が、上記第３方向において、上記冷媒配管接続部よりも上記パネルから離れた位置に設けられている。
【００１１】
前記態様の空気調和機の空気調和機によれば、冷媒配管接続部に冷媒配管を接続するときに、吊り金具が邪魔になるのをより確実に回避できるので、据え付け性をより確実に向上させることができる。
【発明の効果】
【００１２】
本発明の室内機によれば、小型化を図ることができる空気調和機の室内機を実現できる。
【図面の簡単な説明】
【００１３】
【図１】本発明の一実施形態の配管固定構造を備えた空気調和機の室内機の斜視図。
【図２】図１の室内機の底面図。
【図３】図２のIII-III線に沿った断面図。
【図４】図１の室内機からパネル２を取り外した状態を示す斜視図。
【図５】図４とは異なる方向から見た図１の室内機からパネル２を取り外した状態を示す斜視図。
【図６】図４の室内機を第２壁部側から見た側面図。
【図７】図４の室内機をパネル側から見た平面図。
【図８】図１の室内機のターボファン、熱交換器、および、仕切板の一例を示す平面図。
【発明を実施するための形態】
【００１４】
以下、本発明の一実施形態を添付図面に従って説明する。なお、以下の説明では、必要に応じて特定の方向あるいは位置を示す用語（例えば、「上」、「下」、「右」、「左」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１５】
一実施形態の空気調和機の室内機１００は、図１に示すように、ケーシング本体１と、ケーシング本体１の一端（すなわち、図１の下端）に設けられた矩形板状のパネル２とで構成されたケーシングを備えている。
【００１６】
ケーシング本体１は、略矩形箱状を有し、図３に示すように、その内部に、遠心ファンの一例のターボファン３０と、熱交換器４０と、仕切板５０とが収容されている。
【００１７】
ケーシング本体１のパネル２が取り付けられている面には、パネル２の板面に直交する方向に沿って見た平面視（以下、単に平面視という）において矩形状の吸込口１ａが設けられている。図２に示すように、ターボファン３０は、平面視において、吸込口１ａに位置するように配置されている。また、図３に示すように、ケーシング本体１の吸込口１ａとターボファン３０との間には、ベルマウス３２が設けられ、吸込口１ａとグリル３との間には、フィルタ４が設けられている。
【００１８】
熱交換器４０および仕切板５０は、図３に示すように、ターボファン３０の回転軸３１周りに配置されている。また、熱交換器４０および仕切板５０のケーシング本体１の吸込口１ａ側（すなわち、図３の下側）には、ドレンパン６０が配置されている。
【００１９】
熱交換器４０には、２つの管状の冷媒配管接続部５，６がそれぞれ接続されている。各冷媒配管接続部５，６は、図３に示すように、ケーシング本体１の内部の熱交換器４０から、平面視におけるケーシング本体１の長手方向に相対する一対の壁部１１０，１２０の一方（すなわち、図１の左側の壁部１２０）をその厚さ方向に貫通して、ケーシング本体１の外部まで延びている。また、各冷媒配管接続部５，６は、壁部１２０の平面視におけるケーシング本体１の短手方向の一端に配置されている。
【００２０】
また、図３に示すように、ケーシング本体１の内部には、ターボファン３０からの吹出空気をパネル２の吹出口１０に案内する通風路Ｐが設けられている。
【００２１】
図１に示すように、ケーシング本体１の壁部１２０には、この壁部１２０からケーシング本体１の外部に向かって突出するドレンソケット７が設けられている。このドレンソケット７は、ケーシング本体１の短手方向における壁部１２０の略中央部に配置され、ケーシング本体１の外部でドレンホース（図示せず）を接続可能に構成されている。また、この壁部１２０には、電装品箱８が固定されている。電装品箱８は、ケーシング本体１の短手方向において、壁部１２０のドレンソケット７に対する冷媒配管接続部５，６の反対側の端部に配置されている。
【００２２】
ケーシング本体１の平面視における長手方向に相対する一対の壁部１１０，１２０の各々には、空気調和機の室内機１００を天井から吊り下げるための吊りボルト（図示せず）を接続可能な吊り金具１０１〜１０４（吊り金具１０４は図５に示す）が設けられている。各吊り金具１０１〜１０４は、後述するパネル２の開口面２ｂに対して板面が略平行に配置された板状を有している。
【００２３】
パネル２は、図３に示すように、その板厚方向の外面である開口面２ｂにパネル開口部２ａが設けられた凹部２ｃを有している。この凹部２ｃに、パネル２の板面に直交する方向に沿って見た平面視において矩形状のグリル３が着脱可能に取り付けられている。また、凹部２ｃの底面には、パネル２をその板厚方向に貫通する貫通孔２ｄが設けられており、この貫通孔２ｄにフィルタ４が配置されている。すなわち、図２に示すように、フィルタ４を取り外すことで、ターボファン３０が、貫通孔２ｄを介して、ケーシングの外部から視認可能になっている。
【００２４】
また、図２に示すように、パネル２のグリル３の長手方向の一方には、パネル２の短辺に沿って延びる吹出口１０が設けられている。この吹出口１０には、フラップ２０が回動可能に取り付けられている。なお、図１〜図３では、フラップ２０により吹出口１０が閉じられている状態を示している。
【００２５】
続いて、図４〜図７を参照して、ケーシング本体１についてより詳しく説明する。なお、図４および図５では、パネル２を省略している。また、図７は、ケーシング本体１をパネル２側から見た平面図を示している。
【００２６】
図４に示すように、ケーシング本体１は、互いに対向する第１壁部１１０および第２壁部１２０と、第１壁部１１０および第２壁部１２０の間にそれぞれ配置されかつ互いに対向する第３壁部１３０および第４壁部１４０とを有している。第１壁部１１０および第２壁部１２０は、平面視におけるケーシング本体１の長手方向（すなわち、Ｙ方向）に相対しており、第３壁部１３０および第４壁部１４０は、平面視におけるケーシング本体１の短手方向（すなわち、Ｘ方向）に相対している。
【００２７】
なお、パネル２は、図４では省略しているが、第１壁部１１０および第２壁部１２０の相互に対向する方向である第１方向（すなわち、Ｙ方向）と、第３壁部１３０および第４壁部１４０の相互に対向する方向である第２方向（すなわち、Ｘ方向）とにそれぞれ直交する第３方向（すなわち、Ｚ方向）におけるケーシング本体１の一端（すなわち、Ｚ方向下側の端部）に設けられている。
【００２８】
図５に示すように、ケーシング本体１の第１壁部１１０は、第２方向（すなわち、Ｘ方向）の両端部にそれぞれ設けられた第１傾斜壁部１１１および第２傾斜壁部１１２を有している。
【００２９】
第１傾斜壁部１１１は、その第２方向の両端部のうちの第３壁部１３０に近い方の端部に設けられていると共に、第３壁部１３０に交差しかつ第２壁部１２０に接近する方向に延びて第３壁部１３０に接続されている。また、第１傾斜壁部１１１の外面には、吊り金具１０２が設けられている。第１傾斜壁部１１１の吊り金具１０２は、第３方向において、第１傾斜壁部１１１の中央よりもパネル２に近い側に配置されている。
【００３０】
第２傾斜壁部１１２は、その第２方向の両端部のうちの第４壁部１４０に近い方の端部に設けられていると共に、第４壁部１４０に交差しかつ第２壁部１２０に接近する方向に延びて第４壁部１４０に接続されている。また、第２傾斜壁部１１２の外面には、吊り金具１０４が設けられている。第２傾斜壁部１１２の吊り金具１０４は、第３方向において、第２傾斜壁部１１２の中央よりもパネル２に近い側に配置されている。
【００３１】
なお、第１傾斜壁部１１１の吊り金具１０２と、第２傾斜壁部１１２の吊り金具１０４と、第２壁部１２０の第２方向（すなわち、平面視におけるケーシング本体１の短手方向）における中央よりも第４壁部１４０側に設けられている吊り金具１０１とは、パネル２の上面（すなわち、第３方向における開口面２ｂとは反対側の面）から各吊り金具１０１，１０２，１０４の上側の板面（すなわち、各吊り金具１０１，１０２，１０４のパネル２から遠い方の板面）までの直線距離Ｈ１（図６に示す）が、略同一になるように配置されている。
【００３２】
また、図４に示すように、第２壁部１２０の第２方向（すなわち、平面視におけるケーシング本体１の短手方向）における中央よりも第３壁部１３０側に、冷媒配管接続部５，６が設けられている。第２壁部１２０の第２方向における両端部のうちの第３壁部１３０に近い方の冷媒配管側端部１２１の外面に設けられた吊り金具１０３は、図６に示すように、パネル２の上面から吊り金具１０３の上側の板面までの直線距離Ｈ２が、パネル２の上面から他の吊り金具１０１，１０２，１０４の上側の板面までの直線距離Ｈ１よりも大きくなるように配置され、かつ、パネル２の上面から各冷媒配管接続部５，６の上端（すなわち、第３方向における各冷媒配管接続部５，６のパネル２から遠い方の端部）までの直線距離Ｈ３，Ｈ４よりも大きくなるように配置されている。
【００３３】
すなわち、吊り金具１０３は、第３方向（すなわち、Ｚ方向）において、他の吊り金具１０１，１０２，１０４よりもパネル２から離れた位置に設けられていると共に、各冷媒配管接続部５，６よりもパネル２から離れた位置に設けられている。
【００３４】
上記室内機１００によれば、ケーシング本体１を構成する第１壁部１１０が、第２方向の両端部のうちの第３壁部１３０に近い方の端部に設けられていると共に、第３壁部１３０に交差しかつ第２壁部１２０に接近する方向に延びて第３壁部１３０に接続された第１傾斜壁部１１１と、第２方向の両端部のうちの第４壁部１４０に近い方の端部に設けられていると共に、第４壁部１４０に交差しかつ第２壁部１２０に接近する方向に延びて第４壁部１４０に接続された第２傾斜壁部１１２とを有し、第１傾斜壁部１１１および第２傾斜壁部１１２の外面の各々に、吊り金具１０２，１０４が設けられている。これにより、図７に示すように、第３方向に沿った平面視において、第１傾斜壁部１１１および第２傾斜壁部１１２が設けられていない場合のケーシング本体１の輪郭線（点線で示す）の内側に吊り金具１０２，１０４を配置できるので、ケーシングの小型化を図ることができる。その結果、小型化を図ることができる空気調和機の室内機１００を実現できる。
【００３５】
また、第２壁部１２０の第２方向における中央よりも第３壁部１３０側に、冷媒配管が接続される冷媒配管接続部５，６が設けられており、第２壁部１２０の第２方向における両端部のうちの第３壁部１３０に近い方の冷媒配管側端部１２１の外面に設けられた吊り金具１０３が、第３方向において、他の吊り金具１０１，１０２，１０４よりもパネル２から離れた位置に設けられている。冷媒配管接続部５，６への冷媒配管の接続作業は、パネル２側から行われる。すなわち、上記室内機１００では、冷媒配管接続部５，６に冷媒配管を接続するときに、吊り金具１０３が邪魔になるのを回避できるので、据え付け性を向上させることができる。
【００３６】
また、第２壁部１２０の冷媒配管側端部１２１の外面に設けられた吊り金具１０３が、第３方向において、冷媒配管接続部５，６よりもパネル２から離れた位置に設けられている。これにより、冷媒配管接続部５，６に冷媒配管を接続するときに、吊り金具１０３が邪魔になるのをより確実に回避できるので、据え付け性をより確実に向上させることができる。
【００３７】
なお、上記実施形態では、第１傾斜壁部１１１および第２傾斜壁部１１２は、第１壁部１１０のみに設けているがこれに限らない。例えば、第１壁部１１０に加えて、あるいは、第１壁部１１０に代えて、他の壁部に設けてもよい。すなわち、第３方向に沿った平面視において、ケーシング本体１の隣接する角部の各々に傾斜壁部が少なくとも設けられていればよい。
【００３８】
また、第２壁部１２０の冷媒配管側端部１２１の外面に設けられた吊り金具１０３は、パネル２の上面から上側の板面までの距離が、他の吊り金具１０１，１０２，１０４と略同一になるように配置してもよいし、他の吊り金具１０１，１０２，１０４よりはパネル２から離れているが、冷媒配管接続部５，６よりは、パネル２の近くに位置するように配置してもよい。
【００３９】
ターボファン３０、熱交換器４０、および、仕切板５０の一例を図８に示す。図８のケーシング本体１は、吹出口１０側の第１壁部１１と、その第１壁部１１に対向する第２壁部１２と、第１壁部１１と第２壁部１２との間に設けられて互いに対向する第３壁部１３と第４壁部１４とを有する。
【００４０】
熱交換器４０は、平面視において、第１熱交換部４１と、第１熱交換部４１に対してターボファン３０の回転方向の上流側に位置する第２熱交換部４２と、上記第１熱交換部４１に対してターボファン３０の回転方向の下流側に位置する第３熱交換部４３とを有する。
【００４１】
そして、円弧形状の仕切板５０を介して熱交換器４０の両端を連結して、熱交換器４０と仕切板５０によりターボファン３０を囲んでいる。
【００４２】
熱交換器４０の第３熱交換部４３の端部に配管接続部５,６を接続している。また、ケーシング本体１内かつ仕切板５０と第２壁部１２との間の第２壁部１２側に、ドレンポンプ７０を配置している。
【００４３】
なお、熱交換器４０は、第１熱交換部４１、第２熱交換部４２、および、第３熱交換部４３とで構成されている場合に限らず、例えば、円弧形状あるいはＶ字形状を有する熱交換器であってもよい。
【００４４】
上記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【００４５】
１  ケーシング本体
１ａ  吸込口
２  パネル
２ａ  パネル開口部
２ｂ  開口面
２ｃ  凹部
２ｄ  貫通孔
３  グリル
４  フィルタ
５，６  冷媒配管接続部
７  ドレンソケット
８  電装品箱
１０  吹出口
２０  フラップ
３０  ターボファン
３１  回転軸
３２  ベルマウス
４０  熱交換器
５０  仕切板
６０  ドレンパン
１００  室内機
１０１，１０２，１０３，１０４  吊り金具
１１０  第１壁部
１２０  第２壁部
１２１  冷媒配管側端部
１３０  第３壁部
１４０  第４壁部
１１１  第１傾斜壁部
１１２  第２傾斜壁部
【図１】
2018197641.tif 000003
【図２】
2018197641.tif 000004
【図３】
2018197641.tif 000005
【図４】
2018197641.tif 000006
【図５】
2018197641.tif 000007
【図６】
2018197641.tif 000008
【図７】
2018197641.tif 000009
【図８】
2018197641.tif 000010